(57)【要約】【課題】  より高速な連続撮影を可能するカメラを提供する。【解決手段】  当該カメラに装着された撮影レンズのデフォーカス量を検出するデフォーカス量検出手段８，９と、撮影レンズに具備される絞り駆動時間予測手段５，６から、デフォーカス量検出可能時間とデフォーカス量検出不可能時間よりなる絞り込み予測時間を取得し、前記デフォーカス量検出可能時間中に、絞り込み動作とデフォーカス検出動作を並行して行わせる制御手段９とを有する。【選択図】  図１
2014115674.tif 000002
【特許請求の範囲】
【請求項１】
絞りを有する撮影レンズを装着可能なカメラであって、
前記絞りが第１の絞り値の状態において、デフォーカス量を検出するための電荷蓄積を行う検出手段と、
前記絞りの第１の絞り値から第２の絞り値への絞り込み動作の際に、前記検出ユニットでのデフォーカス量の検出のための電荷蓄積の終了を待たずに絞り込み動作を開始する制御手段とを有することを特徴とするカメラ。
【請求項２】
前記制御手段は、前記絞りの第１の絞り値から第２の絞り値への絞り込み動作の際に、絞りが被写体光束を遮光しない領域があることを利用して、デフォーカス量の検出のための電荷蓄積の終了を待たずに絞り込み動作を開始することを特徴とする請求項１に記載のカメラ。
【請求項３】
前記制御手段は、絞りが動作を開始してから被写体光束を遮光しないと予測される時間情報を前記撮影レンズから取得し、当該時間情報に基づいて、前記絞りの第１の絞り値から第２の絞り値への絞り込み動作の際に、前記検出手段でのデフォーカス量の検出のための電荷蓄積の終了を待たずに絞り込み動作を開始することを特徴とする請求項１または２に記載のカメラ。
【請求項４】
絞りを有する撮影レンズを装着可能なカメラであって、
前記絞りが第１の絞り値の状態において、デフォーカス量を検出するための電荷蓄積を行う検出手段と、
前記絞りの第２の絞り値から第１の絞り値への開放動作の際に、当該開放動作の終了を待たずに前記検出ユニットでのデフォーカス量の検出のための電荷蓄積を開始する制御手段とを有することを特徴とするカメラ。
【請求項５】
前記制御手段は、前記絞りの第２の絞り値から第１の絞り値への絞り込み動作の際に、絞りが被写体光束を遮光しない領域があることを利用して、当該開放動作の終了を待たずに前記検出手段でのデフォーカス量の検出のための電荷蓄積を開始することを特徴とする請求項４に記載のカメラ。
【請求項６】
前記制御手段は、絞りが開放動作を開始してから被写体光束を遮光しないと予測される時間情報を前記撮影レンズから取得し、当該時間情報に基づいて、前記絞りの第２の絞り値から第１の絞り値への開放動作の際に、当該開放動作の終了を待たずに前記検出手段でのデフォーカス量の検出のための電荷蓄積を開始することを特徴とする請求項４または請求項５に記載のカメラ。
【請求項７】
装着されたカメラの撮像手段への被写体光束の光量を調節する絞り手段と、
前記絞りの第１の絞り値から第２の絞り値への絞り込み動作の際に、絞りが動作を開始してから被写体光束を遮光しないと予測される時間の情報を前記カメラに対して出力する絞り駆動時間予測手段とを有することを特徴とする撮影レンズ。
【請求項８】
装着されたカメラの撮像手段への被写体光束の光量を調節する絞り手段と、
前記絞りの第２の絞り値から第１の絞り値への開放動作の際に、絞りが開放動作を開始してから被写体光束を遮光しないと予測される時間の情報を前記カメラに対して出力する絞り駆動時間予測手段とを有することを特徴とする撮影レンズ。
【請求項９】
請求項１ないし６のいずれかに記載のカメラと、請求項７又は８に記載の撮影レンズとから成ることを特徴とするカメラシステム。
【発明の詳細な説明】
【技術分野】
【０００１】
本発明は、デフォーカス量を検出するカメラ、該カメラに装着自在の撮影レンズおよびカメラシステムに関するものである。
【背景技術】
【０００２】
従来、交換レンズ式一眼レフカメラ等のカメラシステムにおいて、撮影レンズからの被写体像を光電変換して、露光量（露出値）を決定する自動露出（以下、ＡＥ）装置が広く知られている。
【０００３】
また、撮影レンズの異なる射出瞳領域を通過した被写体からの光束を、一対のラインセンサ上に結合させ、被写体像を光電変換して得られた一対の像信号の相対位置変位量である像ずれ量を求める。そして、この像ずれ量から被写体への撮影レンズのデフォーカス量を検出する。この検出結果に基づいて撮影レンズの駆動を行うという自動焦点調節（以下、ＡＦともいう。）の技術が知られている。またその多くは、静止する被写体のみならず、移動する被写体にレンズ駆動を追従させるサーボモードを備え、連続撮影が可能である。
【０００４】
上記連続撮影の速度を決定する要因は、一眼レフカメラにおいては、ＡＥおよびＡＦにかかる時間と、カメラ（本体）側においてのミラー退避やシャッタ駆動、さらにはミラー復帰までの一連の撮影動作（以下、レリーズシーケンス）にかかる時間とがある。交換レンズ側においては、所定の露出となるように絞りを絞り込み、露光後、再び絞りを開放位置まで開放するまで（絞り駆動シーケンス）にかかる時間がある。
【０００５】
また、一眼レフカメラ等のカメラシステムにおいて、カメラが交換式の撮影レンズの絞りの駆動所要時間を得る技術は、特許文献１にて開示されている。この特許文献１に開示の技術では、その発明の効果を、レンズの絞り駆動中に通信するレンズにおいて、レンズの絞り駆動所要時間を通信することにより、カメラシステムの迅速な制御を可能とするとしている。しかしながら、より具体的な例は開示されていない。
【先行技術文献】
【特許文献】
【０００６】
【特許文献１】特開平１０−２６０４４９号公報
【発明の概要】
【発明が解決しようとする課題】
【０００７】
連続撮影性能を向上させるために、カメラ側のレリーズシーケンスと交換式の撮影レンズ側の絞り駆動シーケンスは並行して行うのが一般的である。しかしながら、従来では、カメラ側のレリーズシーケンス時間に比べ、撮影レンズ側の絞り込みシーケンス時間が長くなる場合には、カメラ側で待機時間が発生してしまう。このことは、連続撮影の際により顕著で、連続撮影の速度が低下してしまう。
【０００８】
（発明の目的）
本発明の目的は、より高速な連続撮影を行うことを可能にする技術を提供しようとするものである。
【課題を解決するための手段】
【０００９】
上記目的を達成するために、本発明は、絞りを有する撮影レンズを装着可能なカメラであって、前記絞りが第１の絞り値の状態において、デフォーカス量を検出するための電荷蓄積を行う検出手段と、前記絞りの第１の絞り値から第２の絞り値への絞り込み動作の際に、前記検出ユニットでのデフォーカス量の検出のための電荷蓄積の終了を待たずに絞り込み動作を開始する制御手段とを有することを特徴とするカメラとするものである。
【００１０】
また、別の側面の本発明は、絞りを有する撮影レンズを装着可能なカメラであって、前記絞りが第１の絞り値の状態において、デフォーカス量を検出するための電荷蓄積を行う検出手段と、前記絞りの第２の絞り値から第１の絞り値への開放動作の際に、当該開放動作の終了を待たずに前記検出ユニットでのデフォーカス量の検出のための電荷蓄積を開始する制御手段とを有することを特徴とするカメラとするものである。
【００１１】
同じく上記目的を達成するために、本発明は、装着されたカメラの撮像手段への被写体光束の光量を調節する絞り手段と、前記絞りの第１の絞り値から第２の絞り値への絞り込み動作の際に、絞りが動作を開始してから被写体光束を遮光しないと予測される時間の情報を前記カメラに対して出力する絞り駆動時間予測手段とを有することを特徴とする撮影レンズとするものである。
【００１２】
また、別の側面の本発明は、装着されたカメラの撮像手段への被写体光束の光量を調節する絞り手段と、前記絞りの第２の絞り値から第１の絞り値への開放動作の際に、絞りが開放動作を開始してから被写体光束を遮光しないと予測される時間の情報を前記カメラに対して出力する絞り駆動時間予測手段とを有することを特徴とする撮影レンズとするものである。
【００１３】
同じく上記目的を達成するために、本発明は、本発明の上記カメラと、本発明の上記撮影レンズとから成るカメラシステムとするものである。
【発明の効果】
【００１４】
本発明によれば、より高速な連続撮影を行うことを可能にする技術を提供できるものである。
【図面の簡単な説明】
【００１５】
【図１】本発明の一実施例に係る一眼レフカメラを示す構成図である。
【図２】本発明の一実施例に係る連続撮影におけるカメラ側のレリーズシーケンスおよび撮影レンズ側の絞り駆動シーケンスを説明する図である。
【図３】本発明の一実施例に係るカメラの動作を示すフローチャートである。
【図４】図３のステップ＃１０９で実行される撮影動作を示すフローチャートである。
【図５】従来の一眼レフカメラに係る連続撮影におけるカメラ側のレリーズシーケンスおよび撮影レンズ側の絞り駆動シーケンスを説明する図である。
【発明を実施するための形態】
【００１６】
本発明を実施するための最良の形態は、以下の一実施例に示す通りである。
【実施例】
【００１７】
図１は本発明の一実施例に係る交換レンズ式一眼レフカメラを示す構成図で、絞りを有する撮影レンズ１００を装着可能なカメラ２００である。図１において、１はレンズ側のコントローラとしてのレンズＭＰＵ（マイクロプロセッシングユニット）、２はレンズ１４の結像位置を検出するための結像位置検出ユニットである。３はレンズ１４を駆動するためのレンズ駆動ユニット、４は絞り１５を駆動するための絞り駆動ユニットである。
【００１８】
２は、レンズ１４の相対的な位置をレンズ駆動ユニットのパルス信号としてカメラに対して出力するレンズ位置出力ユニットである。このレンズ１４には、結像機能が含まれ、したがって、レンズ位置出力ユニット２は、撮影レンズ１００の結像位置に対応する情報を測定し、出力する。具体的には、レンズ位置出力ユニット２のエンコーダがレンズ可動部の光学的変化を電位変化として出力し、これをレンズＭＰＵ１がカウントすることで測定される。
【００１９】
レンズＭＰＵ１は、テーブル５およびテーブル６を内蔵している。テーブル５は、絞り込み動作を行ったときの予測される絞り駆動時間（絞り込み予測時間）を格納している。ここでの、絞り込み動作とは、ユーザ、またはカメラＭＰＵ９によって設定された絞り値に対応するよう絞り１５が第１の絞り値としての開放位置にある状態から第２の絞り値としての設定された絞り値に絞り込む絞り込み動作である。このテーブル５では、ユーザ、またはカメラＭＰＵ９によって設定される絞り値から絞り込み予測時間が検索される。テーブル６は、絞り１５を絞り込んだ状態から開放位置へ絞り１５の開放動作を行ったときに予測される絞り駆動時間（絞り開放予測時間）を格納している。このテーブル６では、設定された絞り値から絞り開放予測時間が検索される。
【００２０】
また、上記の絞り込み予測時間は助走時間と実絞り込み時間とに、絞り開放予測時間は実絞り開放時間と引込み時間とに、それぞれ分離されて各テーブル５、６に格納されている。レンズＭＰＵ１は、マウント１６を介してカメラＭＰＵ９と通信することで、カメラＭＰＵ９へテーブル５、６に格納されている時間を伝達することができる。具体的には、撮影レンズの絞り１５は、絞りが有する可動可能な羽根の停止精度や絞りを開放するときの羽根の揺れを考慮して設けてられている。そのため、絞りが開放の状態から絞る際、実際に被写体光が絞りの羽根によってケラれない領域（絞り１５によって被写体光束の少なくとも一部が遮光されない領域）を有する。この領域を引き込み領域という。
【００２１】
これを現したのが図２である。図２（ａ）はカメラ２００側のタイミングチャートで、図２（ｂ）はレンズ１００側のタイミングチャートである。図２（ｂ）では、実線Ａは、絞りの羽根の開閉駆動を表している。
【００２２】
このため、絞り１５の絞り込み動作、および絞り１５開放動作の場合において、引き込み領域内に絞り羽根（図２の実線Ａ）があるときには、撮像面およびファインダーへ導かれる光量は変化しない。つまり、引き込み領域内にて行われる絞り羽根の助走および引込みの各時間の際、ＡＦやＡＥを行うことが可能である。換言すれば、撮影光量に影響を与えない間の絞り１５の開放位置もしくは絞り込み位置からの予測絞り駆動時間においては、ＡＦやＡＥを行うことが可能である。絞りが絞り込み動作を開始してから被写体光束を遮光しないと予測される時間だったり、絞りが開放動作を開始してから被写体光束を遮光しないと予測される時間だったりするからである。
【００２３】
図５は、図２と比較される図である。図５（ａ）は図２（ａ）と対応しカメラ２００側のタイミングチャートで、図５（ｂ）は図２（ｂ）と対応しレンズ１００側のタイミングチャートである。図２（ｂ）と同様図５（ｂ）では、実線Ａが、絞りの羽根の開閉駆動を表している。図２と比較して図５にあるように、ＡＦ／ＡＥが終了をするのを待ってから絞り１５の絞り込み動作を開始した場合にはカメラ側で待機時間が発生する。また、絞り１５の開放動作が終了するのを待ってからＡＦ／ＡＥ動作を開始した場合にはカメラ側で待機時間が発生する。そうすると、特に連続撮影速度が低下してしまう。
【００２４】
上記のレンズＭＰＵ１、結像位置検出ユニット２、レンズ駆動ユニット３、絞り駆動ユニット４、テーブル５、およびテーブル６等によって交換式の撮影レンズは構成される。この撮影レンズ１００は、図１中の点線で示すようにマウント１６を介して接続され、カメラ（本体）と着脱可能となっている。
【００２５】
次に、カメラ２００側について説明する。７は測光ユニットであり、不図示の測光光学系によって導かれた被写体像を光電変換し、電位変化として出力させる。８はデフォーカス量を検出する検出ユニットであり、不図示の二次結像光学系によって導かれた被写体像を光電変換し、電荷蓄積を行う。蓄積された電化は、電位変化として出力される。９はカメラ側のコントローラとしてのカメラＭＰＵであり、マウント１６の信号線を介してレンズＭＰＵ１と相互通信可能となっている。また、カメラＭＰＵ９は、後述するＡ／Ｄ変換ユニットを内蔵している。さらには、タイマーを内蔵されており、時刻や時間の測定を行うことができる。
【００２６】
１０はカメラ２００の諸設定（シャッタ速度、撮影モード等）を設定するためのダイヤルユニットであり、１１は撮像ユニットである。１２は露光ユニットであり、カメラＭＰＵ９によりミラーとしてのメインミラー１７、およびサブミラー１８の退避および復帰、撮像面のシャッタ制御を行う。ＳＷ１はレリーズボタンの第１ストローク操作（半押し）によりオンするスイッチ、ＳＷ２はレリーズボタンの第２ストローク操作（全押し）によりオンするスイッチである。
【００２７】
その他、カメラ２００側には、撮像素子１９、ピント板２０、ペンタミラー２１、ファインダー２２を有している。
【００２８】
自動露出に必要となる測光演算は、測光ユニット７からの出力によって計算される。具体的には、ミラーとしてのメインミラー１７で反射されたピント板２０上の被写体像は不図示の測光光学系によって測光ユニット７へ導かれる。測光ユニット７は光電変換素子からなっており、所定時間、電荷蓄積を行うことで被写体輝度を電位変化として出力する。カメラＭＰＵ９はこの信号を内蔵したＡ／Ｄ変換ユニットによって数値として読み出す。読み出した数値に測光演算を施すことにより、シャッタ速度優先、撮影絞り値優先など撮影モードに応じた露出を決定する。
【００２９】
自動焦点調節に必要となる焦点はずれ量であるデフォーカス量は、デフォーカス量を検出する検出ユニット８からの出力によって計算される。具体的には、撮影レンズの光軸を挟んだ異なる２領域を通過する被写体光束から形成される２つの像の像ずれ量から計算される。これら２像の光束はハーフミラーとなっているメインミラー１７を通過し、その後ろにあるサブミラー１８によって反射され、不図示の二次結像光学系によって検出ユニット８に導かれる。
【００３０】
デフォーカス量を検出する検出ユニット８はライン状の光電変換素子になっており、この素子上に形成された被写体像を電位変化として出力する。測光ユニット７とは異なり、焦点検出に必要な電荷が蓄積されたら自動的に蓄積が停止する。但し、被写体輝度が低い場合には、電荷蓄積に時間がかかるので、連続撮影中は撮影速度を維持するために所定の時間が経過したら、強制的に蓄積を終了して像信号を読み出す必要がある。カメラＭＰＵ９はこれら２像の信号を内蔵したＡ／Ｄ変換ユニットによって、数値変化として読み出し、これに相関演算を施すことにより２像の像ずれ量を計算し、デフォーカス量を求める。
【００３１】
次に、上記構成の一眼レフカメラの動作について、図３のフローチャートを用いて説明する。
【００３２】
本実施例では、スイッチＳＷ１がオンされると、ステップ＃１０１からＡＦ，ＡＥの動作を開始する。まず、ステップ＃１０２にて、測光ユニット７に具備される光電変換素子の蓄積を開始する。次のステップ＃１０３では、デフォーカス量を検出する検出ユニット８に具備される光電変換素子の蓄積（デフォーカス量検出動作）を開始する。そして、次のステップ＃１０４にて、測光の蓄積が所定時間経過し、所定時間が完了したか否かを判定する。判定の結果、電荷蓄積が終了していなければ蓄積時間の終了まで待機する。電荷蓄積の動作が終了するとステップ＃１０５へ進み、先述した測光演算を行う。
【００３３】
測光演算が終わるとステップ＃１０６へ進み、スイッチＳＷ２がオンされているかを判定する。判定の結果、スイッチＳＷ２がオンされていればステップ＃１０９へ進み，撮影のための一連の動作（詳細は後述する）を行い、ステップ＃１１０へ進む。一方、スイッチＳＷ２がオンされていなければステップ＃１０７へ進み、デフォーカス量を検出する検出ユニット８に具備される光電変換素子の電荷蓄積が終了したか否かを判定する。判定の結果、電荷蓄積が終了していなければ電荷蓄積の終了まで待機する。その後、電荷蓄積が終了するとステップ＃１０８へ進み、先述したデフォーカス量演算を行う。その後はステップ＃１１０へ進み、演算されたデフォーカス量に基づいてレンズ駆動ユニット３によりレンズ１４の駆動、つまり焦点調節を行う。
【００３４】
上記のレンズ１４の駆動が終わるとステップ＃１１１へ進み、スイッチＳＷ１がオンされているか否かを判定し、オンされていればステップ＃１０２の測光開始へ戻る。そして、以下、ステップ＃１１２にてスイッチＳＷ１がオフされるまで、ＡＦおよびＡＥのフローを繰り返す。
【００３５】
次に、図３のステップ＃１０９において実行される撮影動作について、図４のフローチャートを用いて説明する。
【００３６】
ステップ＃２０１より動作を開始し、まず、ステップ＃２０２では、上記ステップ＃１０５によって決定されている絞り値をカメラから撮影レンズへ通信する。そして、その絞り値に対応する先述した絞りが動作に必要と予測される時間（予測絞り駆動時間）を撮影レンズから取得する。すなわち、助走時間、実絞り込み時間、実絞り開放時間、そして、引込み時間（図２（ｂ）参照）の４つ値を撮影レンズ１００（詳しくは、テーブル５およびテーブル６）から取得する。なお、先述のように助走時間とは、絞りが動作を開始してから被写体光束を遮光しないと予測される時間である。また、引き込み時間とは、絞りが開放動作を開始してから被写体光束を遮光しないと予測される時間である。
【００３７】
予測絞り駆動時間の取得が終わるとステップ＃２０３へ進み、デフォーカス量を検出するための検出ユニット８に具備される光電変換素子の電荷蓄積が終了したかを判定する。判定の結果、電荷蓄積が終了していればステップ＃２０８へ進み、先述したデフォーカス量の演算を行う。その後はステップ＃２０９へ進み、図３のステップ＃１０５によって決定されている第２の絞り値としての絞り値になるように第１の絞り値としての開放状態から絞り込み動作を開始する。その後はステップ＃２１０へ進む。
【００３８】
一方、デフォーカス量を検出する検出ユニット８に具備される光電変換素子の蓄積が完了しないと判定した場合はステップ＃２０４へ進む。そして、連続撮影速度を維持するために予め定めていたデフォーカス量の検出のための電荷蓄積時間から助走時間を引いたものが正になるか否かを判定する。判定の結果、正になる場合には、未だ電荷蓄積を継続する時間があるのでステップ＃２０３へ戻り、以下同様の動作を行う。また、負の場合にはステップ＃２０５へ進み、絞り込み動作を開始する。このときにデフォーカス量検出のための光電変換素子の電荷蓄積が、絞り１５の助走時間と並行に行われていることになる。つまり、絞りの第１の絞り値から第２の絞り値への絞り込み動作の際に、デフォーカス量の検出のための電荷蓄積の終了を待たずに絞り込み動作を開始する。これは、図２に示される通り、引き込み領域にある助走時間内では絞り１５が動作していても、被写体光束を遮光しないので光量が変化せず、デフォーカス量を検出するための電荷蓄積が可能になるからである。
【００３９】
なお、図２で記載したＡＥ／ＡＦのうちＡＥは、図２のステップ♯１０２の測光開始、ステップ♯１０４の測光蓄積、およびステップ♯１０５の測光演算に対応する。またＡＦは、次の制御に対応する。すなわち、図２のステップ♯１０３のデフォーカス量の検出動作の開始、すなわちデフォーカス量の検出のための電荷蓄積の開始である。また、図４のステップ♯２０３のデフォーカス量の検出のための電荷蓄積にも対応する。さらに、ステップ♯２０７のデフォーカス量演算、ステップ♯２０８のデフォーカス量演算にも対応する。
【００４０】
絞り込み動作を開始した後はステップ＃２０６へ進み、デフォーカス量の検出のための電荷蓄積の打ち切り時間に達したか否かを判定する。判定の結果、デフォーカス量の検出のための電荷蓄積の打ち切り時間に達していなければ達するまでこのステップで待機する。その後達したことを判定するとステップ＃２０７へ進み、強制的に電荷蓄積を終了してデフォーカス量演算を行う。
【００４１】
上記ステップ＃２０７でのデフォーカス量の演算、もしくは上記ステップ＃２０９での絞り込み動作を開始した後はステップ＃２１０へ進み、演算されたデフォーカス量に基づいてレンズ１４の駆動を行う。その後はステップ＃２１１へ進み、露光ユニット１２によってミラー１７、１８の被写体光路からの退避を開始する。そして、次のステップ＃２１２では、ミラー１７、１８の被写体光路からの退避が完了したか否かを判定する。ここで、ミラー退避が完了したことを判定するとステップ＃２１３へ進み、絞り込み動作が完了したか否かを判定する。絞り込み動作を完了するとステップ＃２１４へ進み、被写体像を記録保存するための撮像素子１９の露光を行う。
【００４２】
その後はステップ＃２１５へ進み、露光ユニット１２によってミラー１７、１８の復帰を開始する。そして、次のステップ＃２１６にて、絞り１５を設定された絞り値の状態から開放状態への開放動作を開始する。続くステップ＃２１７では、ミラー１７、１８の復帰が完了したか否か判定する。ミラー１７、１８の復帰が完了するとステップ＃２１８へ進み、ＡＥおよびＡＦ開始が可能かを判定する。具体的には、絞り１５を開放状態にするための開放動作の開始から実絞り開放までの時間が経過したかを判定する。すなわち、実絞り開放までは当該絞り１５によって、少なくとも被写体光束の一部が遮光される。この被写体光束の一部が少なくとも遮光される時間が経過したか否かを判定する。経過したと判定するとステップ＃２１９へ進み、図３のステップ＃１０９へ戻る。これにより、連続撮影中は、絞り１５の引込み時間と並行してデフォーカス量検出を行うことができる。すなわち、絞り１５の第２の絞り値としての設定された絞り値から第１の絞り値としての開放状態への開放動作の際に、開放動作の終了を待たずに検出ユニット８でのデフォーカス量の検出のための電荷蓄積を開始する。
【００４３】
また、ＡＥとの並行動作について説明する。ステップ＃２１９から図３へ戻り、ステップ＃１１１にてスイッチＳＷ１のオンが継続されていると、ステップ＃１０２，＃１０４および＃１０５にて次回の撮影のための測光演算を行う。この測光演算は図２に示されるように絞りの引込み時間と並行して行われる。
【００４４】
上記構成においては、撮影レンズ側からカメラ側へ、図２に示す、絞り込み予測時間（助走時間と実絞り込み時間）、絞り開放予測時間（定められた絞り値から開放絞り値までの実絞り開放時間と引込み時間）を出力する。そして、助走時間をＡＦ可能時間（デフォーカス量検出可能時間）、定められた絞り値以降の実絞り込み時間をＡＦ不可能時間（デフォーカス量検出不可能時間）としている。さらには、実絞り開放時間をＡＥ不可能時間（測光演算不可能時間）およびＡＦ可能時間、引込み時間をＡＥ可能時間（測光演算可能時間）およびＡＦ可能時間としている。
【００４５】
このように、撮影レンズ側からカメラへＡＦおよびＡＥ可能時間（助走時間および引込み時間）を出力し、これに基づいて、ＡＦ，ＡＥと絞り駆動動作を並行して行うことで、より高速な連続撮影可能な一眼レフカメラを提供できる。
【００４６】
（本発明と実施例の対応）
上記実施例において、絞り１５が本発明の絞り手段に、絞り込み予測時間テーブル５および絞り開放予測時間テーブル６が絞り駆動時間予測手段に、それぞれ相当する。デフォーカス量検出ユニット８およびカメラＭＰＵ９がデフォーカス量検出手段に、カメラＭＰＵ９が制御手段に、それぞれ相当する。また、測光ユニット７およびカメラＭＰＵ９が露出量を演算する測光演算手段に、絞り開放予測時間テーブル６が絞り開放時間予測手段に、それぞれ相当する。
【００４７】
（変形例）
本実施例では、助走時間および引込み時間をＡＦ可能時間、実絞り時間および実絞り開放時間をＡＦ不可能時間としている。しかし、撮影レンズの開放Ｆ値によらず、定められた絞り値、例えばＦ５．６の光束で足りるＡＦシステムのときには、設定された絞り値がＦ５．６までの場合であれば、絞り込みの状態によらず全てＡＦ可能時間とできる。また、設定された絞り値がＦ５．６以上の場合には、Ｆ５．６に絞り込むまでの時間をＡＦ可能時間、それ以降をＡＦ不可能時間とすれば、本発明を同様に適用できるものである。
【００４８】
同様に、絞り込みがＦ５．６までの状態から絞りを開放にした場合には、絞り開放の状態によらず全てＡＦ可能時間とできる。また、絞り込みＦ５．６以上の状態から絞りを開放にした場合には、Ｆ５．６に絞りを開放するまでの時間をＡＦ不可能時間、それ以降をＡＦ可能時間とすれば、本発明を同様に適用できるものである。
【００４９】
本実施例では、絞り込みにようする予測時間を記憶しているテーブル５、および絞りを開放にするまでに要する予測時間を記憶しているテーブル６は予め測定した固定値である。しかし、温度や経年変化等によって絞り駆動時間が変化するカメラシステムの場合には、その変化をレンズＭＰＵ１で観測して補正してもよい。具体的には、レンズＭＰＵ１で温度を観測して補正をかけたり、テーブル５およびテーブル６と実際の絞り駆動時間の差を算出し、その差を記憶してそれ以降の予測駆動時間に補正をかけたりしても、本発明を適用可能である。また、温度をカメラＭＰＵ７で観測し、それをレンズＭＰＵ１へ伝達し、それに基づいて絞り込み予測時間テーブル５および絞り開放予測時間テーブル６を補正しても、本発明を同様に適用可能である。
【００５０】
また、上記実施例では、撮影レンズとカメラ（本体）との組み合わせによりなる一眼レフカメラを例にしているが、レンズ一体型のカメラ（本発明のカメラシステムに含む）にも本発明は適用できるものである。
【００５１】
たとえば、絞り込みにようする予測時間を記憶しているテーブル５、および絞りを開放にするまでに要する予測時間を記憶しているテーブル６をレンズ１００側に設けるのではなく、カメラ２００側に設けるといった具合である。これにより、レンズ１００とカメラ２００との通信量を減らすことができる。ただし、対応できるレンズ１００の種類が限られたり、テーブル５、６の容量が大きくったりといった点がある。
【符号の説明】
【００５２】
１  レンズＭＰＵ
２  結像位置検出ユニット
３  レンズ駆動ユニット
４  絞り駆動ユニット
５  絞り込み予測時間テーブル
６  絞り開放予測時間テーブル
７  測光ユニット
８  デフォーカス量検出ユニット
９  カメラＭＰＵ
１０  ダイヤルユニット
１１  撮像ユニット
１２  露光ユニット
１４  レンズ
１５  絞り
１９  撮像素子
【図１】
2014115674.tif 000003
【図２】
2014115674.tif 000004
【図３】
2014115674.tif 000005
【図４】
2014115674.tif 000006
【図５】
2014115674.tif 000007